(57)【特許請求の範囲】
【請求項１】
媒体に画像を記録する画像形成装置の本体と、
前記本体の動作に応じて利用者に告知を行う告知部材と、
前記本体の設定を行う権限を有するか否かを認証する認証手段と、
前記認証手段で認証された場合に、前記告知部材の動作の設定を行う第１の設定手段と、
前記認証手段で認証がされていない場合に、前記告知部材の動作の設定を行う第２の設定手段と、
前記告知部材を動作させる場合に、前記第２の設定手段で設定された設定内容よりも、前記第１の設定手段で設定された設定内容を優先させて、前記告知部材の動作を設定する動作設定手段と、
前記動作設定手段で設定された設定に基づいて、前記告知部材を動作させる動作手段と、
を備えたことを特徴とする画像形成装置。
【請求項２】
前記告知部材を動作させる場合に、前記第２の設定手段で設定された設定内容に対して、前記第１の設定手段で設定された設定内容で補正をすることで、前記第２の設定手段で設定された設定内容よりも、前記第１の設定手段で設定された設定内容を優先させる前記動作設定手段と、
を備えたことを特徴とする請求項１に記載の画像形成装置。
【発明の詳細な説明】
【技術分野】
【０００１】
本発明は、画像形成装置に関する。
【背景技術】
【０００２】
画像形成装置において、ブザー音を発生させる技術に関し、以下の特許文献１〜３に記載の技術が知られている。
【０００３】
特許文献１としての特開平０２−０３２３７２号公報には、入力音や警告音、コピー終了音のオン、オフを、ユーザが嗜好に合わせて手動で設定可能な画像形成装置が記載されている。
特許文献２としての特開２０１１−１９４５９８号公報には、画像形成の実行中に異常が発生した場合のアラーム音の有効、無効を利用者が設定可能であると共に、異常が発生した場合に一時報知停止の入力がされると、一時的に報知が停止され、利用者による修復作業が終了して、ＲＥＡＤＹスイッチが入力された場合に、一時報知停止の設定が解除されて、一時報知停止を解除し忘れても、次回の異常発生時にアラーム音が鳴る構成が記載されている。
【０００４】
特許文献３としての特開２００２−２６４４５７号公報には、ユーザの嗜好に合わせるために、消音キーが入力されると、操作確認音や警告音の出力が禁止されるとともに、キャンセルキーの入力や所定時間が経過すると消音状態から通常状態に復帰させることで、別のユーザが利用する場合には警告音等を出力されるようにする構成が記載されている。
【先行技術文献】
【特許文献】
【０００５】
【特許文献１】特開平０２−０３２３７２号公報（第６ページ右下欄第７行〜第７ページ左上欄第１１行、図１１）
【特許文献２】特開２０１１−１９４５９８号公報（「００２０」〜「００３４」）
【特許文献３】特開２００２−２６４４５７号公報（「００３５」〜「００３７」、「００５９」〜「００６２」）
【発明の概要】
【発明が解決しようとする課題】
【０００６】
本発明は、利用者の報知の設定を可能にしつつ、権限のある者が予め設定した報知については確実に利用者に報知可能にすることを技術的課題とする。
【課題を解決するための手段】
【０００７】
前記技術的課題を解決するために、請求項１に記載の発明の画像形成装置は、
媒体に画像を記録する画像形成装置の本体と、
前記本体の動作に応じて利用者に告知を行う告知部材と、
前記本体の設定を行う権限を有するか否かを認証する認証手段と、
前記認証手段で認証された場合に、前記告知部材の動作の設定を行う第１の設定手段と、
前記認証手段で認証がされていない場合に、前記告知部材の動作の設定を行う第２の設定手段と、
前記告知部材を動作させる場合に、前記第２の設定手段で設定された設定内容よりも、前記第１の設定手段で設定された設定内容を優先させて、前記告知部材の動作を設定する動作設定手段と、
前記動作設定手段で設定された設定に基づいて、前記告知部材を動作させる動作手段と、
を備えたことを特徴とする。
【０００８】
請求項２に記載の発明は、請求項１に記載の画像形成装置において、
前記告知部材を動作させる場合に、前記第２の設定手段で設定された設定内容に対して、前記第１の設定手段で設定された設定内容で補正をすることで、前記第２の設定手段で設定された設定内容よりも、前記第１の設定手段で設定された設定内容を優先させる前記動作設定手段と、
を備えたことを特徴とする。
【発明の効果】
【０００９】
請求項１に記載の発明によれば、認証されない場合の設定よりも、認証された場合の設定を優先させない場合に比べて、利用者の報知の設定を可能にしつつ、権限のある者が予め設定した報知については確実に利用者に報知可能にすることができる。
請求項２に記載の発明によれば、認証されない場合の設定を、認証された場合の設定で補正しない場合に比べて、認証されない場合の設定を汲み取ることができる。
【図面の簡単な説明】
【００１０】
【図１】図１は本発明の実施例１の画像形成装置の説明図である。
【図２】図２は実施例１のユーザインタフェースの説明図である。
【図３】図３は実施例１の画像形成装置の制御部が備えている各機能をブロック図で示した図である。
【図４】図４は実施例１の認証画像の説明図である。
【図５】図５は実施例１の管理者用の設定画像の説明図である。
【図６】図６は実施例１の管理者用の音量設定画像の説明図である。
【図７】図７は実施例１の個別設定画像の説明図である。
【図８】図８は実施例１の利用者の設定画像の説明図である。
【図９】図９は実施例１の利用者用の音量設定画像の説明図である。
【図１０】図１０は実施例１の管理者用の音量設定処理のフローチャートの説明図である。
【図１１】図１１は実施例１の利用者用の音量設定処理のフローチャートの説明図である。
【図１２】図１２は実施例１のブザー制御処理のフローチャートの説明図である。
【発明を実施するための形態】
【００１１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１２】
図１は本発明の実施例１の画像形成装置の説明図である。
図１において、実施例１の画像形成装置の一例としての複写機Ｕは、画像形成装置の本体の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
また、プリンタ部Ｕ１の右部には、後処理装置Ｕ４が配置されている。
【００１３】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１４】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの右方には、撮像部材の一例としての撮像素子ＣＣＤが配置されている。撮像素子ＣＣＤには、画像処理部ＧＳが電気的に接続されている。
画像処理部ＧＳは、プリンタ部Ｕ１の制御部の一例としてのコントローラＣや書込回路Ｄに電気的に接続されている。書込回路Ｄは、Ｙ：イエロー、Ｍ：マゼンタ、Ｃ：シアン、Ｋ：黒の露光装置ＲＯＳｙ，ＲＯＳｍ，ＲＯＳｃ，ＲＯＳｋに電気的に接続されている。
【００１５】
図１において、潜像形成装置の一例としての各露光装置ＲＯＳｙ〜ＲＯＳｋの下方には、像保持体の一例としての感光体ドラムＰｙ，Ｐｍ，Ｐｃ，Ｐｋが配置されている。
Ｋ色用の感光体ドラムＰｋの周囲には、感光体ドラムＰｋの回転方向に沿って、帯電器ＣＲｋ、現像装置ＧＫ、１次転写器の一例としての１次転写ロールＴ１ｋ、像保持体の清掃器の一例としてのドラムクリーナＣＬｋが配置されている。
帯電器ＣＲｋには、電源回路Ｅから、感光体ドラムＰｋを帯電させるための帯電電圧が印加される。現像装置ＧＫは、現像剤の保持体の一例としての現像ロールＲ０を有する。現像ロールＲ０には、電源回路Ｅから、現像電圧が印加される。１次転写ロールＴ１ｋには、電源回路Ｅから、現像剤の帯電極性とは逆極性の１次転写電圧が印加される。
【００１６】
なお、実施例１では、感光体ドラムＰｋ、帯電器ＣＲｋおよびドラムクリーナＣＬｋが、像保持体ユニットＵＫとしてユニット化されている。像保持体ユニットＵＫは、プリンタ部Ｕ１に対して、着脱可能に支持されている。
Ｙ，Ｍ，Ｃの各色についても、Ｋ色と同様に構成された像保持体ユニットＵＹ，ＵＭ，ＵＣが設けられている。したがって、各像保持体ユニットＵＹ，ＵＭ，ＵＣも、感光体ドラムＰｙ，Ｐｍ，Ｐｃ、帯電器ＣＲｙ，ＣＲｍ，ＣＲｃ、ドラムクリーナＣＬｙ，ＣＬｍ，ＣＬｃを有する。
また、実施例１では、現像装置ＧＹ〜ＧＫも、ユニット化されており、プリンタ部Ｕ１に対して着脱可能に支持されている。
前記各像保持体ユニットＵＹ，ＵＭ，ＵＣ，ＵＫと現像装置ＧＹ，ＧＭ，ＧＣ，ＧＫとにより、トナー像の形成部材ＵＹ＋ＧＹ，ＵＭ＋ＧＭ，ＵＣ＋ＧＣ，ＵＫ＋ＧＫが構成されている。
【００１７】
像保持体ユニットＵＹ〜ＵＫの下方には、中間転写装置の一例としてのベルトモジュールＢＭが配置されている。前記ベルトモジュールＢＭは、中間転写体の一例としての中間転写ベルトＢと、中間転写体の支持部材の一例としてのベルト支持ロールＲｄ，Ｒｔ，Ｒｗ，Ｒｆ，Ｔ２ａと、１次転写ロールＴ１ｙ，Ｔ１ｍ，Ｔ１ｃ，Ｔ１ｋとを有する。ベルト支持ロールＲｄ，Ｒｔ，Ｒｗ，Ｒｆ，Ｔ２ａは、駆動部材の一例としてのベルト駆動ロールＲｄ、張力付与部材の一例としてのテンションロールＲｔ、蛇行防止部材の一例としてのウォーキングロールＲｗ、従動部材の一例としての複数のアイドラロールＲｆ、および、二次転写用の対向部材の一例としてのバックアップロールＴ２ａを有する。
中間転写ベルトＢは前記ベルト支持ロールＲｄ，Ｒｔ，Ｒｗ，Ｒｆ，Ｔ２ａにより矢印Ｙａ方向に回転移動可能に支持されている。
【００１８】
前記バックアップロールＴ２ａの下方には、媒体の搬送装置の一例としての２次転写ユニットＵｔが配置されている。２次転写ユニットＵｔは、二次転写部材の一例であって、第２の搬送部材の一例としての２次転写ロールＴ２ｂを有する。２次転写ロールＴ２ｂは、第１の搬送部材の一例としての中間転写ベルトＢを挟んでバックアップロールＴ２ａに離隔および接触可能に支持されている。前記２次転写ロールＴ２ｂが中間転写ベルトＢと接触する領域により、転写領域の一例であって、対向領域の一例としての２次転写領域Ｑ４が形成されている。また、前記バックアップロールＴ２ａには、電圧印加用の接触部材の一例としてのコンタクトロールＴ２ｃが接触している。前記コンタクトロールＴ２ｃには、電源回路Ｅから、予め設定された時期に、トナーの帯電極性と同極性の２次転写電圧が印加される。前記各ロールＴ２ａ〜Ｔ２ｃにより２次転写器Ｔ２が構成されている。
【００１９】
中間転写ベルトＢの回転方向に対して、２次転写領域Ｑ４の下流側には、中間転写体の清掃器の一例としてのベルトクリーナＣＬＢが配置されている。
前記１次転写ロールＴ１ｙ〜Ｔ１ｋ、中間転写ベルトＢ、２次転写器Ｔ２、ベルトクリーナＣＬＢ等により、感光体ドラムＰｙ〜Ｐｋ表面の画像をシートＳに転写する転写装置Ｔ１＋Ｂ＋Ｔ２＋ＣＬＢが構成されている。
【００２０】
プリンタ部Ｕ１の下部には、媒体の収容部の一例としての給紙トレイＴＲ１〜ＴＲ３が出入可能に支持されている。給紙トレイＴＲ１〜ＴＲ３には、媒体の一例としてのシートＳが収容される。
各給紙トレイＴＲ１〜ＴＲ３の左上方には、媒体の取出部材の一例としてのピックアップロールＲｐが配置されている。ピックアップロールＲｐの左方には、捌き部材の一例としての捌きロールＲｓが配置されている。
各給紙トレイＴＲ１〜ＴＲ３の左方には、上方に延びる媒体の搬送路ＳＨ１が形成されている。搬送路ＳＨ１には、媒体の搬送部材の一例としての搬送ロールＲａが複数配置されている。
搬送路ＳＨ１には、シートＳの搬送方向の下流部であり且つ２次転写領域Ｑ４の上流側に、送出部材の一例としてのレジロールＲｒが配置されている。
【００２１】
シートＳの搬送方向に対して、レジロールＲｒの下流側には、媒体の案内部材の一例としてのレジガイドＳＧｒおよび転写前のシートガイドＳＧ１が順に配置されている。
シートＳの搬送方向に対して、２次転写領域Ｑ４の下流側には、媒体の案内部材の一例としての転写後のシートガイドＳＧ２が配置されている。シートＳの搬送方向に対して、転写後のシートガイドＳＧ２の下流側には、媒体の搬送部材の一例としての搬送ベルトＢＨが配置されている。
シートＳの搬送方向に対して、搬送ベルトＢＨの下流側には、定着装置Ｆが配置されている。前記定着装置Ｆは、加熱定着部材の一例としての加熱ロールＦｈと、加圧定着部材の一例としての加圧ロールＦｐとを有する。加熱ロールＦｈと加圧ロールＦｐとが接触する領域により定着領域Ｑ５が形成されている。
【００２２】
シートＳの搬送方向に対して、定着装置Ｆの下流側には、媒体の搬送路の一例としての排出路ＳＨ３が形成されている。排出路ＳＨ３は、後処理装置Ｕ４に向けて右方に延びている。排出路ＳＨ３の下流端部には、媒体の搬送部材の一例としての搬送ロールＲｂが配置されている。排出路ＳＨ３の下流端には、媒体の搬送路の一例としての反転路ＳＨ４の上流端が接続されている。実施例１の反転路ＳＨ４は、２次転写ユニットＵｔの下方且つ最上段の給紙トレイＴＲ１の上方の間を通じて、レジロールＲｒの上流側で搬送路ＳＨ１に合流する。反転路ＳＨ４には、媒体の搬送部材の一例としての搬送ロールＲａが複数配置されている。
排出路ＳＨ３と反転路ＳＨ４との分岐部には、搬送路の切替部材の一例としての第１のゲートＧＴ１が配置されている。
【００２３】
後処理装置Ｕ４には、媒体の搬送路の一例としての処理路ＳＨ５が形成されている。処理路ＳＨ５には、媒体の搬送部材の一例としての搬送ロールＲｂが複数配置されている。なお、実施例１の搬送ロールＲｂは、正逆回転可能に構成されている。処理路ＳＨ５には、湾曲の補正装置の一例としてのデカーラＵ４ａが配置されている。実施例１のデカーラＵ４ａは、湾曲の補正部材の一例としての第１のカール補正部材ｈ１および第２のカール補正部材ｈ２を有する。
シートＳの搬送方向に対して、デカーラＵ４ａの下流側には、排出部材の一例としての排出ロールＲｈが配置されている。シートＳの搬送方向に対して、排出ロールＲｈの下流側には、排出部の一例としての排出トレイＴＨ１が配置されている。実施例１の排出トレイＴＨ１は、シートＳの積載量に応じて、上下方向に移動可能に支持されている。
前記符号ＳＨ１〜ＳＨ５が付された要素により、実施例１の媒体の搬送路ＳＨが構成されている。また、前記符号ＳＨ，Ｒａ，Ｒｂ，Ｒｒ，Ｒｈ，ＳＧｒ，ＳＧ１，ＳＧ２，ＢＨ，ＧＴ１等が付された要素により、媒体の搬送系ＳＵが構成されている。
【００２４】
（画像形成動作の説明）
図１において、実施例１の複写機Ｕでは、ユーザインタフェースＵ０においてコピースタートキーが入力されると、スキャナ部Ｕ２は、原稿を読取る。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。したがって、原稿トレイＴＧ１に収容された複数の原稿Ｇｉは、プラテンガラスＰＧ上の原稿の読み取り位置を順次通過して、原稿の排紙トレイＴＧ２に排出される。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
【００２５】
原稿Ｇｉからの反射光は、読取り用の光学系Ａを通って、撮像素子ＣＣＤに集光される。前記撮像素子ＣＣＤは、撮像面上に集光された原稿の反射光を電気信号に変換する。
画像処理部ＧＳは、撮像素子ＣＣＤから入力された読取信号を、デジタルの画像信号に変換して、プリンタ部Ｕ１の書込回路Ｄに出力する。書込回路Ｄは、画像処理部ＧＳから入力されたＹ：イエロー、Ｍ：マゼンタ、Ｃ：シアン、Ｋ：黒の画像情報に応じたレーザ駆動信号を、予め設定された時期に、書込装置の一例としての各色の露光装置ＲＯＳｙ，ＲＯＳｍ，ＲＯＳｃ，ＲＯＳｋに出力する。
なお、コントローラＣは、書込回路Ｄが信号を出力する時期や電源回路Ｅ等を制御する信号を出力する。
【００２６】
感光体ドラムＰｙ〜Ｐｋは、それぞれ帯電器ＣＲｙ〜ＣＲｋにより表面が帯電される。表面が帯電された感光体ドラムＰｙ〜Ｐｋは、露光装置ＲＯＳｙ〜ＲＯＳｋの出力する書込光の一例としてのレーザビームＬｙ，Ｌｍ，Ｌｃ，Ｌｋにより、静電潜像が形成される。感光体ドラムＰｙ〜Ｐｋの表面の静電潜像は、現像装置ＧＹ〜ＧＫにより、Ｙ：イエロー、Ｍ：マゼンタ、Ｃ：シアン、Ｋ：黒の色の可視像の一例としてのトナー像に現像される。
【００２７】
感光体ドラムＰｙ〜Ｐｋ表面上のトナー像は、１次転写ロールＴ１ｙ〜Ｔ１ｋにより、中間転写ベルトＢ上に転写される。多色画像、いわゆる、カラー画像が形成される場合、中間転写ベルトＢに、各感光体ドラムＰｙ〜Ｐｋのトナー像が順次重ねて転写される。また、黒画像データのみの場合は、Ｋ：黒の感光体ドラムＰｋおよび現像装置ＧＫのみが使用されて、黒のトナー像のみが形成される。したがって、中間転写ベルトＢにも黒のトナー像のみが転写される。
１次転写がされた後、感光体ドラムＰｙ〜Ｐｋの表面に残留したトナーは、ドラムクリーナＣＬｙ〜ＣＬｋによりクリーニングされる。
中間転写ベルトＢに転写されたトナー像は、２次転写領域Ｑ４に搬送される。
【００２８】
前記各トレイＴＲ１〜ＴＲ３のシートＳは、予め設定された給紙時期にピックアップロールＲｐにより取り出される。ピックアップロールＲｐで取り出されたシートＳは、複数枚のシートＳが重なった状態で取り出された場合には、捌きロールＲｓで１枚づつ分離される。捌きロールＲｓを通過したシートＳは、複数の搬送ロールＲａにより、レジロールＲｒに搬送される。
【００２９】
レジロールＲｒは、トナー像が２次転写領域Ｑ４に搬送される時期に合わせて、シートＳを送り出す。レジロールＲｒで送り出されたシートＳは、ガイドＳＧｒ，ＳＧ１で案内されて２次転写領域Ｑ４に搬送される。
中間転写ベルトＢ上のトナー像は、２次転写領域Ｑ４を通過する際に、２次転写器Ｔ２により、シートＳに転写される。なお、カラー画像の場合は、中間転写ベルトＢの表面に重ねて１次転写されたトナー像が、一括してシートＳに２次転写される。
２次転写領域Ｑ４を通過した後の中間転写ベルトＢは、ベルトクリーナＣＬＢにより、残留したトナーが清掃される。
【００３０】
トナー像が２次転写されたシートＳは、転写後の媒体案内部材ＳＧ２、定着前の媒体搬送部材の一例としての搬送ベルトＢＨを通って定着装置Ｆに搬送される。シートＳの表面のトナー像は、定着領域Ｑ５を通過する際に、定着装置Ｆにより加熱定着される。定着領域Ｑ５でトナー像が加熱定着されたシートＳは、排出路ＳＨ３を搬送される。
シートＳが排出トレイＴＨ１に排出される場合、排出路ＳＨ３を搬送されたシートＳは、後処理装置Ｕ４の処理路ＳＨ５に搬入される。切替ゲートｈ３は、処理路ＳＨ５に搬送されたシートＳの湾曲、いわゆるカールの方向に応じて、第１のカール補正部材ｈ１または第２のカール補正部材ｈ２に搬送先を切り替える。各カール補正部材ｈ１，ｈ２は、通過するシートＳのカールを補正する。カールが補正されたシートＳは、排出ロールＲｈにより排出トレイＴＨ１に排出される。
【００３１】
シートＳが両面印刷される場合、シートＳの後端が第１のゲートＧＴ１を通過後に、第１のゲートＧＴ１は、シートＳの搬送先を、反転路ＳＨ４に切り替える。そして、排出路ＳＨ３の下流端の搬送ロールＲｂや処理路ＳＨ５の搬送ロールＲｂが逆回転する。したがて、第１のゲートＧＴ１を通過したシートＳは、搬送ロールＲｂにより搬送方向が前後逆転された状態で反転路ＳＨ４に搬入される。すなわち、シートＳはスイッチバックされる。スイッチバックされたシートＳは、反転路ＳＨ４を搬送されて、レジロールＲｒに、表裏が反転した状態で搬送される。
【００３２】
（ユーザインタフェースの説明）
図２は実施例１のユーザインタフェースの説明図である。
図２において、実施例１のユーザインタフェースＵ０は、表示部材の一例としての表示パネル１を有する。実施例１の表示パネル１は、画像を表示するとともに、利用者が指で触れて入力をすることが可能な、いわゆるタッチパネルにより構成されている。また、ユーザインタフェースＵ０は、複写開始の入力部材の一例としてのスタートボタン２、数値入力部部材の一例としてのテンキー３、認証開始部材の一例としての認証ボタン４、設定開始部材の一例としての設定開始ボタン６、各種動作や操作を終了する終了入力部材の一例としてのストップボタン７、等の各種入力部材を有する。
【００３３】
（実施例１の制御部の説明）
図３は実施例１の画像形成装置の制御部が備えている各機能をブロック図で示した図である。
図３において、複写機Ｕが有する制御部の一例としてのコントローラＣは、外部との信号の入出力等を行う入出力インターフェースＩ／Ｏを有する。また、コントローラＣは、必要な処理を行うためのプログラムおよび情報等が記憶されたＲＯＭ：リードオンリーメモリを有する。また、コントローラＣは、必要なデータを一時的に記憶するためのＲＡＭ：ランダムアクセスメモリを有する。また、コントローラＣは、ＲＯＭ等に記憶されたプログラムに応じた処理を行うＣＰＵ：中央演算処理装置を有する。したがって、実施例１のコントローラＣは、小型の情報処理装置、いわゆるマイクロコンピュータにより構成されている。よって、コントローラＣは、ＲＯＭ等に記憶されたプログラムを実行することにより種々の機能を実現することができる。
【００３４】
（コントローラＣに接続された信号出力要素）
前記プリンタ部Ｕ１のコントローラＣは、ユーザインタフェースＵ０等の信号出力要素からの出力信号が入力されている。
Ｕ０：ユーザインタフェース
ユーザインタフェースＵ０は、電源の投入部の一例としての電源ボタンＵ０１や、表示パネル１、スタートボタン２、テンキー３、認証ボタン４、設定開始ボタン６、ストップボタン７等を備えている。
【００３５】
（コントローラＣに接続された被制御要素）
コントローラＣは、駆動源の駆動回路Ｄ１や、ブザー制御回路Ｄ２、電源回路Ｅ、その他の図示しない制御要素に接続されている。コントローラＣは、各回路Ｄ１〜Ｄ２，Ｅ等へ、それらの制御信号を出力している。
Ｄ１：駆動源の駆動回路
駆動源の駆動回路Ｄ１は、駆動源の一例としてのメインモータＭ１を駆動することにより、感光体ドラムＰｙ〜Ｐｋ、現像装置ＧＹ〜ＧＫの現像剤保持体、中間転写ベルトＢ、定着装置Ｆの加熱ロールＦｈ、搬送ロールＲａ等を回転駆動する。
Ｄ２：ブザー制御回路
報知部材の駆動回路の一例としてのブザー制御回路Ｄ２は、告知部材の一例としてのブザー１１を制御して、音を発生させる。
【００３６】
Ｅ：電源回路
電源回路Ｅは、現像用の電源回路Ｅ１、帯電用の電源回路Ｅ２、転写用の電源回路Ｅ３と定着用の電源回路Ｅ４とを有している。
Ｅ１：現像用の電源回路
現像用の電源回路Ｅ１は、現像装置ＧＹ〜ＧＫの現像剤保持体に現像電圧を印加する。Ｅ２：帯電用の電源回路
帯電用の電源回路Ｅ２は、帯電器ＣＲｙ〜ＣＲｋに帯電電圧を印加する。
Ｅ３：転写用の電源回路
転写用の電源回路Ｅ３は、１次転写ロールＴ１ｙ〜Ｔ１ｋおよび２次転写ロールＴ２ｂに転写電圧を印加する。
Ｅ４：定着用の電源回路
定着用の電源回路Ｅ４は、定着装置Ｆの加熱ロールＦｈの加熱部材に加熱用の電力を供給する。
【００３７】
（コントローラＣの機能）
コントローラＣは、前記信号出力要素からの入力信号に応じた処理を実行して、前記各制御要素に制御信号を出力する機能を有している。すなわち、コントローラＣは次の機能を有している。
Ｃ１：画像形成の制御手段
画像形成の制御手段Ｃ１は、スキャナ部Ｕ２から入力された画像情報に応じて、複写機Ｕの各部材の駆動や各電圧の印加時期等を制御して、画像形成動作であるジョブを実行する。
【００３８】
Ｃ２：駆動源の制御手段
駆動源の制御手段Ｃ２は、駆動源の駆動回路Ｄ１を介してメインモータＭ１の駆動を制御し、感光体ドラムＰｙ〜Ｐｋ等の駆動を制御する。
Ｃ３：電源回路の制御手段
電源回路の制御手段Ｃ３は、各電源回路Ｅ１〜Ｅ４を制御して、各部材へ印加される電圧や、各部材へ供給される電力を制御する。
【００３９】
図４は実施例１の認証画像の説明図である。
Ｃ４：認証手段
認証手段Ｃ４は、利用者が複写機Ｕの設定を行う権限を有するか否かを認証する。すなわち、利用者が、複写機Ｕの設定を変更する権限を有する管理者であるか否かを認証する。実施例１の認証手段Ｃ４は、一例として、認証ボタン４が入力された場合に、図４に示す認証画像２１を表示パネル１に表示する。実施例１の認証画像２１は、認証情報の一例としてのパスワードを入力するパスワード入力欄２１ａと、認証を行うための認証実行部の一例としての「ログイン」ボタン２１ｂと、認証を終了する「終了ボタン」２１ｃとを有する。図４において、パスワード入力欄２１ａにパスワードが入力されてログインボタン２１ｂが入力されると、認証手段Ｃ４は、表示パネル１に入力されたパスワードが、予め登録されて認証手段Ｃ４が記憶するパスワードと一致するか否かを判別する。そして、パスワードが一致した場合には、利用者が管理者であると判別され、パスワードが一致しない場合には認証失敗となる。
【００４０】
Ｃ５：管理者用の設定手段
認証者の設定手段の一例としての管理者用の設定手段Ｃ５は、管理者用の設定画像表示手段Ｃ５Ａと、個別音量設定の記憶手段Ｃ５Ｂと、管理者用の音量設定画像の表示手段Ｃ５Ｃと、個別設定画像の表示手段Ｃ５Ｄと、管理者用の音量設定手段Ｃ５Ｅと、を有し、認証された管理者の入力に基づいて、複写機Ｕの各種設定を行う。
【００４１】
図５は実施例１の管理者用の設定画像の説明図である。
Ｃ５Ａ：管理者用の設定画像表示手段
管理者用の設定画像表示手段Ｃ５Ａは、管理者権限を有する者が設定可能な項目を表示する管理者用の設定画像３１を、表示パネル１に表示する。図５において、実施例１の管理者用の設定画像３１は、音量の設定を行うための「音」設定ボタン３１ａと、時刻の設定を行うための「時計」設定ボタン３１ｂと、各色の濃度の設定や全体の明るさの設定等の画質の詳細設定を行うための「画質」ボタン３１ｃと、給紙トレイＴＲ１〜ＴＲ３に収容される用紙サイズや用紙種類等の設定を行うための「トレイ」ボタン３１ｄと、出力履歴やＦＡＸの発信履歴等の報告書の一例としてのレポートを出力するか否かや出力する時期等の設定を行うための「レポート」ボタン３１ｅと、その他の設定を行うための「その他」ボタン３１ｆと、設定作業を終了するための「終了」ボタン３１ｇと、を有する。なお、実施例１では、管理者用の設定画像３１は、認証手段Ｃ４で認証がされると、表示パネル１に表示される。
【００４２】
Ｃ５Ｂ：個別音量設定の記憶手段
第１の設定の記憶手段の一例としての個別音量設定の記憶手段Ｃ５Ｂは、第１の設定情報の一例として、複写機Ｕの動作に伴って出力される各種の音の音量の設定情報を記憶する。実施例１の個別音量設定の記憶手段Ｃ５Ｂは、一例として、異常時の警告音や、消耗品交換時期になったことを告知する警告音、画像形成が異常終了した場合の警告音、入力ボタン２〜７の入力時に鳴らす入力音、消耗品の交換時期に近づいたことを告知する音、ＦＡＸの出力が正常終了したことを告知する音、複写が正常に終了したことを告知する音や、電源投入後や省エネルギー状態から復帰した後に画像形成の準備が完了したことを告知する音等の音を鳴らす各種項目と、各項目の設定値を記憶する。実施例１では、設定値として、基準となる後述する一括設定音量に対して、音量を１段階大きくする場合には「＋１」を記憶している。なお、実施例１では１〜３段階の範囲で音量を調整可能に構成されている。なお、音量を１段階小さくする場合には「−１」、一括設定音量に合わせる場合は「±０」を記憶する。よって、実施例１では、個別音量設定は、「−３」〜「＋３」の範囲で設定可能に構成されている。
【００４３】
図６は実施例１の管理者用の音量設定画像の説明図である。
Ｃ５Ｃ：管理者用の音量設定画像の表示手段
管理者用の音量設定画像の表示手段Ｃ５Ｃは、管理者用の設定画像３１において、「音」設定ボタン３１ａの入力がされた場合に、図６に示す管理者用の音量設定画像４１を表示パネル１に表示する。図６において、実施例１の音量設定画像４１では、設定項目が表示される設定項目表示欄４１ａと、音量設定を終了して管理者用の設定画像３１に戻るための「戻る」ボタン４１ｂと、を有する。実施例１の設定項目表示欄４１ａには、個別音量設定の記憶手段Ｃ５Ｂに記憶された各種項目と、各項目の現在の設定値が表示される。そして、音量設定画像４１では、いずれかの項目を選択する入力が可能に構成されている。
【００４４】
図７は実施例１の個別設定画像の説明図である。
Ｃ５Ｄ：個別設定画像の表示手段
個別設定画像の表示手段Ｃ５Ｄは、設定項目表示欄４１ａで項目を選択する入力がされた場合に、図７に示す個別設定画像５１を表示する。なお、図７には、一例として、ＦＡＸ受信音量の設定画像を示す。図７において、実施例１の個別設定画像５１では、現在の設定値を表示する設定表示欄５１ａと、設定値を変更するための入力部の一例としての増減ボタン５１ｂと、設定値を更新するための「更新」ボタン５１ｃと、個別設定を終了して音量設定画像４１に戻るための「戻る」ボタン５１ｄとを有する。実施例１の個別設定画像５１では、増減ボタン５１ｂの増の入力が一度入力される度に、設定値が１加算された値に変更され、減の入力がされる度に設定値が１減算された値に変更される。
【００４５】
Ｃ５Ｅ：管理者用の音量設定手段
第１の設定手段の一例としての管理者用の音量設定手段Ｃ５Ｅは、個別設定画像５１において、「更新」ボタン５１ｃの入力がされた場合に、設定表示欄５１ａに表示されている設定値に、個別音量設定の記憶手段Ｃ５Ｂに記憶された対応する項目の設定値を更新する。
【００４６】
Ｃ６：利用者用の設定手段
利用者用の設定手段Ｃ６は、一括音量設定の記憶手段Ｃ６Ａと、利用者用の設定画像表示手段Ｃ６Ｂと、利用者用の音量設定画像の表示手段Ｃ６Ｃと、利用者用の音量設定手段Ｃ６Ｄと、を有し、認証されていない利用者の入力に基づいて、複写機Ｕの各種設定を行う。
Ｃ６Ａ：一括音量設定の記憶手段
第２の設定の記憶手段の一例としての一括音量設定の記憶手段Ｃ６Ａは、第２の設定情報の一例として、複写機Ｕの動作に伴って出力される音全ての音量の設定情報である一括設定音量を記憶する。実施例１の一括音量設定の記憶手段Ｃ６Ａでは、一括設定音量として、大音量「＋３」、中音量「＋２」、小音量「＋１」、消音「０」の４段階の設定値のいずれかを記憶する。
【００４７】
図８は実施例１の利用者の設定画像の説明図である。
Ｃ６Ｂ：利用者用の設定画像表示手段
利用者用の設定画像表示手段Ｃ６Ｂは、管理者権限を有しない利用者が設定可能な項目を表示する利用者用の設定画像６１を、表示パネル１に表示する。図８において、実施例１の利用者用の設定画像６１は、音量の一括設定を行うための「音」設定ボタン６１ａと、濃度を濃くするとか薄くするといった画質の簡易設定を行うための「画質」ボタン６１ｂと、使用される給紙トレイＴＲ１〜ＴＲ３の優先順等の設定を行うための「トレイ」ボタン６１ｃと、その他の設定を行うための「その他」ボタン６１ｄ、設定作業を終了するための「終了」ボタン６１ｅと、を有する。なお、実施例１の利用者用の設定画像表示手段Ｃ６Ｂは、設定開始ボタン６の入力がされた場合に、利用者用の設定画像６１を表示パネル１に表示する。
【００４８】
図９は実施例１の利用者用の音量設定画像の説明図である。
Ｃ６Ｃ：利用者用の音量設定画像の表示手段
利用者用の音量設定画像の表示手段Ｃ６Ｃは、利用者用の設定画像６１において「音」設定ボタン６１ａが入力された場合に、利用者用の音量設定画像７１を表示する。図９において、実施例１の利用者用の音量設定画像７１は、音量を表示する音量表示部７１ａと、現在の音量の設定値を表示する設定表示の一例としてのハイライト表示７１ｂと、設定値を更新するための「更新」ボタン７１ｃと、一括設定を終了して利用者用の設定画像６１に戻るための「戻る」ボタン７１ｄとを有する。実施例１の音量設定画像７１では、利用者が音量表示部７１ａの「０」〜「３」のいずれかの音量の欄に触れる入力をする度に、ハイライト表示７１ｂが入力された音量の欄に移行する。
【００４９】
Ｃ６Ｄ：利用者用の音量設定手段
第２の設定手段の一例としての利用者用の音量設定手段Ｃ６Ｄは、音量設定画像７１において、「更新」ボタン７１ｃの入力がされた場合に、ハイライト表示７１ｂがされている音量の設定値に、一括音量設定の記憶手段Ｃ６Ａに記憶された設定値を更新する。
Ｃ７：ブザー出力命令の受信手段
告知指令の受信手段の一例としてのブザー出力命令の受信手段Ｃ７は、ブザー１１を鳴らす命令を受信する。実施例１では、異常終了時や消耗品の交換時期等のブザー１１を鳴らす時期になった場合に、画像形成の制御手段Ｃ１から出力命令が送信される。
【００５０】
Ｃ８：一括音量設定の取得手段
一括音量設定の取得手段Ｃ８は、ブザー出力命令の受信手段Ｃ７が、ブザー出力命令を受信した場合に、一括音量設定の記憶手段Ｃ６Ａに記憶された一括音量設定の情報を取得する。
Ｃ９：個別音量設定の取得手段
個別音量設定の取得手段Ｃ９は、ブザー出力命令の受信手段Ｃ７が、ブザー出力命令を受信した場合に、個別音量設定の記憶手段Ｃ５Ｂに記憶された各種の音量設定の情報の中から、ブザー出力命令に対応する音量設定の情報を取得する。
【００５１】
Ｃ１０：出力音量の設定手段
動作設定手段の一例としての出力音量の設定手段Ｃ１０は、ブザー１１を動作させる場合に、利用者用の音量設定手段Ｃ６Ｄで設定された設定内容よりも、管理者用の音量設定手段Ｃ５Ｅで設定された設定内容を優先させて、ブザー１１の動作を設定する。実施例１の出力音量の設定手段Ｃ１０は、利用者用の音量設定手段Ｃ６Ｄで設定された設定内容に対して、管理者用の音量設定手段Ｃ５Ｅで設定された設定内容で補正をすることで、利用者用の音量設定手段Ｃ６Ｄで設定された設定内容よりも、管理者用の音量設定手段Ｃ５Ｅで設定された設定内容を優先させる。具体的には、利用者用の音量設定手段Ｃ６Ｄで設置された一括音量設定の「＋３」〜「０」の設定値に対して、管理者用の音量設定手段Ｃ５Ｅで設定された音量設定「−３」〜「＋３」の数値を加算して補正した値を、ブザー１１の出力音量として設定する。なお、実施例１では、出力音量の上限値が「＋３」、下限値が「−３」に設定されており、加算の結果上限値や下限値を超えた場合には、上限値または下限値を出力音量として設定する。
【００５２】
Ｃ１１：ブザー制御手段
告知部材の動作手段の一例としてのブザー制御手段Ｃ１１は、出力音量の設定手段Ｃ１０で設定された設定に基づいて、ブザー１１を動作させる。すなわち、設定された音量でブザー１１を鳴らす。
【００５３】
（実施例１の流れ図の説明）
次に、実施例１の複写機Ｕにおける制御の流れを流れ図、いわゆるフローチャートを使用して説明する。
（実施例１の管理者用の音量設定処理のフローチャートの説明）
図１０は実施例１の管理者用の音量設定処理のフローチャートの説明図である。
図１０のフローチャートの各ステップＳＴの処理は、前記複写機ＵのコントローラＣに記憶されたプログラムに従って行われる。また、この処理は複写機Ｕの他の各種処理と並行して実行される。
【００５４】
図１０に示すフローチャートは複写機Ｕの電源投入により開始される。
図１０のＳＴ１において、認証ボタン４の入力がされたか否かを判別する。イエス（Ｙ）の場合はＳＴ２に進み、ノー（Ｎ）の場合はＳＴ１を繰り返す。
ＳＴ２において、認証画像２１を表示して認証を行う認証処理を実行して、ＳＴ３に進む。
ＳＴ３において、管理者用の設定画像３１を表示パネル１に表示する。そして、ＳＴ４に進む。
【００５５】
ＳＴ４において、管理者用の設定画像３１において「音」の設定ボタン３１ａの入力がされたか否かを判別する。ノー（Ｎ）の場合はＳＴ５に進み、イエス（Ｙ）の場合はＳＴ８に進む。
ＳＴ５において、管理者用の設定画像３１において「終了」ボタン３１ｇの入力がされたか否かを判別する。ノー（Ｎ）の場合はＳＴ６に進み、イエス（Ｙ）の場合はＳＴ１に戻る。
ＳＴ６において、「時計」設定ボタン３１ｂ等の入力がされたか否かを判別する。イエス（Ｙ）の場合はＳＴ７に進み、ノー（Ｎ）の場合はＳＴ４に戻る。
ＳＴ７において、「時計」の設定処理等の入力に応じた処理が実行され、ＳＴ４に戻る。
【００５６】
ＳＴ８において、管理者用の音量設定画像４１を表示パネル１に表示する。そして、ＳＴ９に進む。
ＳＴ９において、設定項目表示欄４１ａで項目を選択する入力がされたか否かを判別する。ノー（Ｎ）の場合はＳＴ１０に進み、イエス（Ｙ）の場合はＳＴ１１に進む。
ＳＴ１０において、管理者用の音量設定画像４１において「戻る」ボタン４１ｂの入力がされたか否かを判別する。イエス（Ｙ）の場合はＳＴ３に戻り、ノー（Ｎ）の場合はＳＴ９に戻る。
ＳＴ１１において、個別設定画像５１を表示パネル１に表示する。そして、ＳＴ１２に進む。
【００５７】
ＳＴ１２において、増減ボタン５１ｂを介して設定の入力がされたか否かを判別する。イエス（Ｙ）の場合はＳＴ１３に進み、ノー（Ｎ）の場合はＳＴ１４に進む。
ＳＴ１３において、入力に応じて、設定表示欄５１ａの表示を変更する。そして、ＳＴ１２に戻る。
ＳＴ１４において、個別設定画像５１における「更新」ボタン５１ｃの入力がされたか否かを判別する。イエス（Ｙ）の場合はＳＴ１５に進み、ノー（Ｎ）の場合はＳＴ１６に進む。
ＳＴ１５において、設定表示欄５１ａに表示されている設定値に、個別音量設定の記憶手段Ｃ５Ｂに記憶された設定値を更新する。そして、ＳＴ８に戻る。
ＳＴ１６において、個別設定画像５１における「戻る」ボタン５１ｄの入力がされたか否かを判別する。イエス（Ｙ）の場合はＳＴ８に戻り、ノー（Ｎ）の場合はＳＴ１２に戻る。
【００５８】
（実施例１の利用者用の音量設定処理のフローチャートの説明）
図１１は実施例１の利用者用の音量設定処理のフローチャートの説明図である。
図１１のフローチャートの各ステップＳＴの処理は、前記複写機ＵのコントローラＣに記憶されたプログラムに従って行われる。また、この処理は複写機Ｕの他の各種処理と並行して実行される。
【００５９】
図１１に示すフローチャートは複写機Ｕの電源投入により開始される。
図１１のＳＴ２１において、設定開始ボタン６の入力がされたか否かを判別する。イエス（Ｙ）の場合はＳＴ２２に進み、ノー（Ｎ）の場合はＳＴ２１を繰り返す。
ＳＴ２２において、利用者用の設定画像６１を表示パネル１に表示する。そして、ＳＴ２３に進む。
ＳＴ２３において、利用者用の設定画像６１において「音」設定ボタン６１ａの入力がされたか否かを判別する。ノー（Ｎ）の場合はＳＴ２４に進み、イエス（Ｙ）の場合はＳＴ２７に進む。
【００６０】
ＳＴ２４において、利用者用の設定画像６１において「終了」ボタン６１ｅの入力がされたか否かを判別する。ノー（Ｎ）の場合はＳＴ２５に進み、イエス（Ｙ）の場合はＳＴ２１に戻る。
ＳＴ２５において、「画質」ボタン６１ｂ等の入力がされたか否かを判別する。イエス（Ｙ）の場合はＳＴ２６に進み、ノー（Ｎ）の場合はＳＴ２３に戻る。
ＳＴ２６において、「画質」の設定処理等の入力に応じた処理を実行し、ＳＴ２３に戻る。
【００６１】
ＳＴ２７において、利用者用の音量設定画像７１を表示パネル１に表示する。そして、ＳＴ２８に進む。
ＳＴ２８において、音量の設定をする入力、すなわち、利用者用の音量設定画像７１の音量表示部７１ａへの入力がされたか否かを判別する。イエス（Ｙ）の場合はＳＴ２９に進み、ノー（Ｎ）の場合はＳＴ３０に進む。
ＳＴ２９において、入力に応じてハイライト表示７１ｂを変更する。そして、ＳＴ２８に戻る。
【００６２】
ＳＴ３０において、利用者用の音量設定画像７１の「更新」ボタン７１ｃの入力がされたか否かを判別する。イエス（Ｙ）の場合はＳＴ３１に進み、ノー（Ｎ）の場合はＳＴ３２に進む。
ＳＴ３１において、音量表示部７１ａへの入力に応じてハイライト表示７１ｂがされた音量の設定情報に、一括音量設定の記憶手段Ｃ６Ａの情報を更新する。そして、ＳＴ２２に戻る。
ＳＴ３２において、利用者用の音量設定画像７１の「戻る」ボタン７１ｄの入力がされたか否かを判別する。イエス（Ｙ）の場合はＳＴ２２に戻り、ノー（Ｎ）の場合はＳＴ２８に戻る。
【００６３】
（実施例１のブザー制御処理のフローチャートの説明）
図１２は実施例１のブザー制御処理のフローチャートの説明図である。
図１２のフローチャートの各ステップＳＴの処理は、前記複写機ＵのコントローラＣに記憶されたプログラムに従って行われる。また、この処理は複写機Ｕの他の各種処理と並行して実行される。
【００６４】
図１２に示すフローチャートは複写機Ｕの電源投入により開始される。
図１２のＳＴ４１において、ブザー音を発生させるブザー出力命令を受信したか否かを判別する。イエス（Ｙ）の場合はＳＴ４２に進み、ノー（Ｎ）の場合はＳＴ４１を繰り返す。
ＳＴ４２において、一括音量設定の情報を取得する。そして、ＳＴ４３に進む。
ＳＴ４３において、個別音量設定の情報から発生させるブザー音に対応する音量の設定情報を取得し、一括音量設定を補正する。そして、ＳＴ４４に進む。
ＳＴ４４において、補正された音量で、ブザー音を発生させる。そして、ＳＴ４１に戻る。
【００６５】
（ブザー音の設定処理の機能）
前記構成を備えた実施例１の複写機Ｕでは、管理者権限を有しない一般の利用者は、利用者用の音量設定画像７１において、音量を一括で設定可能である。したがって、利用者の嗜好に応じて、異常終了時の警告音や、テンキー３等の入力音等の音量を一括して設定可能である。また、管理者権限を有する管理者は、管理者用の音量設定画像４１を通じて、各種音の音量について詳細に設定が可能である。そして、実際にブザー音が鳴らされる場合には、利用者が設定した音量に対して、管理者が設定した音量に基づいて補正がされた音量でブザー音が鳴らされる。
【００６６】
特許文献１に記載の技術のように、利用者が個別に音のオン、オフを設定可能な構成では、音が出力される状況が多くなると、利用者に煩わしさを感じさせてしまう問題がある。また、利用者の設定によっては、異常時の警告音等の利用者にとって重要度が高い音の出力設定がオフに設定される事がある。この場合、利用者が機器の異常を認識できない恐れがある。
特許文献２，３のように、一時的に音の出力が停止されたり、報知音の出力がオフにされても、異常が解消した入力がされたり所定時間が経過した場合に、自動的に音の出力の設定が元に戻る構成では、音の設定を変えようとした場合には、毎回再設定が必要となり、毎回利用する利用者にとって煩わしく、利用者の嗜好に合わせることが困難である。
【００６７】
これに対して、実施例１では、利用者は音量を一括で設定可能であり、従来技術に比べて、音量の設定の煩わしさが低減される。また、実施例１では、管理者が音量の設定をした場合には、管理者の音量の設定で補正がかかる。
例えば、利用者が、音量ゼロ、すなわち、消音の設定をしたとしても、管理者が異常発生時の音量を「＋３」に設定した場合には、管理者の設定が優先されて、「＋３」の音量でブザー音が鳴らされる。他にも、例えば、ＦＡＸで注文を受け付ける店舗で使用する場合に、利用者が音量を「＋１」に設定しても、管理者が注文を受け付けたことを確実に認識したいと考えてＦＡＸの受信音量を「＋１」に設定した場合には、ＦＡＸの出力時に、利用者の設定である「＋１」の音量よりも高い「＋２」の音量でブザー音が鳴らされる。
【００６８】
よって、管理者が、必要に応じて設定した音量については、利用者の音量の設定よりも優先され、利用者が設定した音量が補正されて出力される。したがって、機器の異常等、管理者が利用者にブザー音で報知をしたい状況については、管理者の設定に応じて、報知が確実に行われる。
特に、実施例１では、利用者の設定を管理者の設定で補正した音量が使用されており、出力される音量は、利用者の設定に連動する。したがって、例えば、利用者の設定にかかわらず、管理者の設定した項目については管理者の設定した音量で出力される構成では、利用者の嗜好は全く反映されない恐れがある。これに対して、実施例１では、出力される音量が利用者の設定に連動しており、利用者の嗜好が汲み取られ、部分的にではあるが反映される。
【００６９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ06）を下記に例示する。
（Ｈ01）前記実施例において、画像形成装置の一例としての複写機Ｕを例示したが、これに限定されず、プリンタ、ＦＡＸ、あるいはこれら複数の機能を備えた複合機等に適用可能である。
【００７０】
（Ｈ02）前記実施例において、例示した具体的な数値は、設計や仕様に応じて任意に変更可能である。例えば、音量の設定を３段階＋消音の４段階としたが、これに限定されず、３段階や５段階以上としたり、オンとオフの２段階にする等、変更が可能である。
（Ｈ03）前記実施例において、利用者に告知する告知部材の一例としてブザー１１を例示したがこれに限定されない。例えば、発光部材の一例としてのランプや、音声案内出力、振動部材の一例としてのバイブレーション装置等、利用者に告知が可能な任意の構成を利用可能である。例えば、ランプを使用する場合には、実施例１でブザーの音量の設定を行うことに替えて、ランプの光量や色、点滅の速さ、点灯している期間等の設定を行うことが可能である。
【００７１】
（Ｈ04）前記実施例において、管理者の設定に基づいて、利用者の設定を補正する場合を例示したが、これに限定されない。例えば、実施例１では、利用者の設定に対する補正値を管理者が設定する形になっていたが、これに替えて、管理者が、音量を直接設定することも可能である。すなわち、管理者が音量を「＋２」と設定した項目に関しては、利用者が音量をどのように調節しても、管理者の設定が優先されて「＋２」の音量でブザーが鳴り、管理者が設定していない項目に関してのみ、利用者の音量の設定でブザーが鳴らされる構成とすることが可能である。
【００７２】
（Ｈ05）前記実施例において、認証法としてパスワードを利用した認証を例示したがこれに限定されない。例えば、ＩＤカード等を読み取って認証を行う等、任意の認証方法を採用可能である。
（Ｈ06）前記実施例において、例示した画像や設定項目等は、実施例に例示したものに限定されず、設計や使用等に応じて任意に変更可能である。
【符号の説明】
【００７３】
１１…告知部材、
Ｃ４…認証手段、
Ｃ５Ｅ…第１の設定手段、
Ｃ６Ｄ…第２の設定手段、
Ｃ１０…動作設定手段、
Ｃ１１…動作手段、
Ｓ…媒体、
Ｕ…画像形成装置、
Ｕ１…画像形成装置の本体。
【図１】
0006402559.tif 000002
【図２】
0006402559.tif 000003
【図３】
0006402559.tif 000004
【図４】
0006402559.tif 000005
【図５】
0006402559.tif 000006
【図６】
0006402559.tif 000007
【図７】
0006402559.tif 000008
【図８】
0006402559.tif 000009
【図９】
0006402559.tif 000010
【図１０】
0006402559.tif 000011
【図１１】
0006402559.tif 000012
【図１２】
0006402559.tif 000013